(57)【要約】      （修正有）【課題】組み立てと分解に便利で、構造性に優れ、施工に便利で、組立式ボードの強度を高め、収縮変形を防止でき、気密性、遮音性、防水防湿性、保温性、絶縁性等の効果を備えた組立式ボードを提供する。【解決手段】組立式ボードは可塑性材料で金属プレートを被覆した後、押出方式を利用して一体成型して成り、平面を備える。一側の平面より低い位置に前方に突出したＣ字形ポケット部が形成され、底部に内側表面を備え、Ｃ字形ポケット部に相対する一側のＣ字形ポケット部の位置より若干高い位置に下方向に突出したＪ字形係合部が形成される。２つの組立式ボード間をＪ字形係合部とＣ字形ポケット部を相互に係合させることで、組立式ボード間の連接を行うことができ、金属プレートにより組立式ボードの強度を高め、収縮変形を防止する。【選択図】図２
0003155016.tif 000002
【実用新案登録請求の範囲】
【請求項１】
組立式ボードであって、主に可塑性材料で金属プレートを被覆した後、押出成型方式で一体成型して成り、平面を備え、該平面の一側に前方に向かって突出したＣ字形ポケット部が形成され、該Ｃ字形ポケット部の位置が前記平面より低く、かつ前記Ｃ字形ポケット部は底部に底部表面を備え、前記Ｃ字形ポケット部に相対する一側に下方向に突出したＪ字形係合部が形成され、かつ該Ｊ字形係合部の高さが前記Ｃ字形ポケット部より若干高いことを特徴とする、組立式ボード。
【請求項２】
前記底部表面の下方に滑り止めパッドを設置したことを特徴とする、請求項１に記載の組立式ボード。
【請求項３】
前記Ｊ字形係合部の下方に滑り止めパッドを設置したことを特徴とする、請求項１に記載の組立式ボード。
【請求項４】
前記組立式ボードの底部にさらに少なくとも１つの補強リブを設置したことを特徴とする、請求項１に記載の組立式ボード。
【請求項５】
前記組立式ボードの平面にさらに少なくとも１つの溝部を設けたことを特徴とする、請求項１に記載の組立式ボード。
【請求項６】
前記金属プレートが箔片状であることを特徴とする、請求項１に記載の組立式ボード。
【請求項７】
前記組立式ボードがさらに組立て部材を含み、前記組立て部材の一側に前記Ｃ字形ポケット部に相対する係合部を設けたことを特徴とする、請求項１に記載の組立式ボード。
【請求項８】
前記組立て部材上の前記係合部に相対する他方の一側にさらに挾持溝を設けたことを特徴とする、請求項７に記載の組立式ボード。
【請求項９】
前記挾持溝が弾性的挾持力を備えたことを特徴とする、請求項８に記載の組立式ボード。
【請求項１０】
前記平面の上方にさらに滑り止め処理を施したことを特徴とする、ことを特徴とする、請求項１または７に記載の組立式ボード。
【考案の詳細な説明】
【技術分野】
【０００１】
本考案は組立式ボードに関し、主に、組み立てと分解に便利であり、組み立てて連続した面（例：壁面、床板、屋根等）を形成することができる、組立式ボードに関する。
【背景技術】
【０００２】
現在、多くの場面において、家庭やオフィス、屋根等の場所に、床面、壁面を問わず、リフォームするとき原有の構造面を破壊しないようにするため、多くが組立式床板や組立式壁面を選択してリフォームを行い、組立式床板または組立式壁面で各種異なる変化を達している。
【０００３】
例えば、床板上に応用される組立式床板は、ほとんどが木材を使用するか、可塑材料から成る人工木材を利用して構成されているが、これら組立式床板は、施工上の利便性を考慮して皆一定の寸法を採用しており、使用者が選択して購入するが、このような組立式床板は床板上に単独で使用し、床板を高くする効果を達するのみである。
【０００４】
このため、使用者が異なる区域に使用したいときは、別の組立式床板または組立式壁板を購入して使用者のニーズを満たす必要がある。
【０００５】
このように、使用者が選択して購入する際の問題のほか、このような組立式床板または組立式壁板は使用時に相互を入れ替えて使用することはできず、各種組立式床板または組立式壁板は単一の機能しかなく、組立式床板または組立式壁板の使用は制限を受け、内装に大規模に応用することはできない。
【０００６】
かつ、これら組立式床板または組立式壁板は、ほとんどが単一の材料から構成されているため、強度が比較的劣り、容易に外力のために破裂や損壊する現象が発生する。また特に、防湿防水性、遮音性、保温性、絶縁等の機能に欠け、また気密効果はまったく期待できない。
【考案の概要】
【考案が解決しようとする課題】
【０００７】
本考案の主な目的は、組み立てと分解に便利であり、かつ構造性に優れた組立式ボードであって、施工に便利で、同時に組立式ボードの強度を高め、収縮変形を防止することができ、また気密性、遮音性、防水防湿性、保温性、絶縁性等の効果を備えた組立式ボードを提供することにある。
【０００８】
本考案の別の目的は、より良い滑り止め効果を備えた組立式ボードを提供することにある。
【０００９】
本考案のさらに別の目的は、多様な組み立ての変化を備えた組立式ボードを提供することにある。
【課題を解決するための手段】
【００１０】
上述の目的を達するため、本考案の組立式ボードは主に可塑性材料を利用して金属プレートを被覆した後、押出方式で一体成型して成り、平面と、一側を前方に向かって突出させ形成したＣ字形ポケット部を備え、前記Ｃ字形ポケット部の位置は前記平面より低く、かつ前記Ｃ字形ポケット部は底部に内側表面を備え、さらに前記Ｃ字形ポケット部に相対する一側に下方に向かって突出させ形成したＪ字形係合部が設けられ、前記Ｊ字形係合部は前記Ｃ字形ポケット部の位置より若干高く、これにより、２つの組立式ボード間を前記Ｊ字形係合部と前記Ｃ字形ポケット部により相互に係合させ、組立式ボード間を連接させることができる。このほか、前記組立式ボード内に被覆された金属プレートが組立式ボードの強度を高め、同時に組立式ボードの収縮変形を防止し、組立式ボードにより優れた構造性を形成することができる。
【００１１】
上述の目的を達するため、本考案は主に底部表面とＪ字形係合部の下方に滑り止めパッドをそれぞれ設置し、複数の組立式ボードを組み立てた後、前記底部表面下方の滑り止めパッドと床板または壁面により良い摩擦力を形成し、組立式ボードを床板上または壁面上に敷設したときに滑って動いてしまう状況の発生を回避する。このほか、複数の組立式ボードの組み立て時、Ｊ字形係合部とＣ字形ポケット部間を相互に係合させて組み立てるため、Ｊ字形係合部をＣ字形ポケット部の内部に係合させたとき、Ｊ字形係合部下方の滑り止めパッドにより、Ｊ字形係合部とＣ字形ポケット部間の摩擦力を増加し、複数の組立式ボードの組み立て時に滑って動いてしまう現象の発生を回避して、床板または壁面が平らでないことによる問題を解決することができる。
【００１２】
上述の目的を達するため、本考案の組立式ボードはさらに、組立て部材を組み合わせて使用することができ、前記組立て部材は一側に前記Ｃ字形ポケット部に対応する係合部を備え、相対する一側に挾持溝が設けられ、これにより前記係合部と前記Ｃ字形ポケット部間を相互に係合させることで、前記組立て部材を前記組立式ボード上に固定することができ、前記挾持溝にはガラスやドア板を挟持させることができるため、これにより前記組立式ボードに多様な組み立ての変化を持たせることができる。
【考案の効果】
【００１３】
本考案の考案者は組立式ボードの使用を向上するために、組立式ボードを考案したものであり、本考案は主に簡単な設計を通して組立式ボードにより優れた構造性を具備させ、組立式ボードの強度を高めるだけでなく、組立式ボードの滑りを抑え、組立式ボードに多様な組み合わせ変化の効果を具備すると共に、特に気密性、遮音性、保温性、絶縁性、防水防湿性等の効果も備えている。
【図面の簡単な説明】
【００１４】
【図１】本考案の実施例１の立体斜視図である。
【図２】本考案の実施例１の側面断面図である。
【図３】本考案の実施例２の側面図である。
【図４】本考案の実施例３の側面図である。
【図５】本考案を組み立てたときの立体斜視図である。
【図６】本考案を組み立てたときの側面断面図である。
【図７】本考案を組み立てたときの別の実施態様の側面断面図である。
【図８】本考案の実施例４の立体斜視図である。
【図９Ａ】本考案のＣ字形ポケット部の各種異なる角度を示す側面図である。
【図９Ｂ】本考案のＣ字形ポケット部の各種異なる角度を示す側面図である。
【図９Ｃ】本考案のＣ字形ポケット部の各種異なる角度を示す側面図である。
【図９Ｄ】本考案のＣ字形ポケット部の各種異なる角度を示す側面図である。
【図１０Ａ】本考案のＣ字形ポケット部及びＪ字形係合部の各種形状を示す側面図である。
【図１０Ｂ】本考案のＣ字形ポケット部及びＪ字形係合部の各種形状を示す側面図である。
【図１１】本考案の実施例５の側面図である。
【図１２】本考案の実施例６の側面図である。
【考案を実施するための形態】
【００１５】
本考案の詳細な説明と技術内容について、以下で図面を組み合わせて説明する。
【００１６】
まず図１と図２に示すように、本考案の組立式ボード１０は主に可塑性材料で金属プレート１１を被覆した後、押出成型方式で一体成型したものであり、主に平面１２を備え、一側にＣ字形ポケット部１３が形成され、本実施例において前記Ｃ字形ポケット部１３の開口は上に向かって設置され、かつ該Ｃ字形ポケット部１３は内側表面１４を備え、該内側表面１４の位置は前記平面１２より低く、さらに前記Ｃ字形ポケット部１３の底部に底部表面１５が設けられる。このほか、前記組立式ボード１０上のＣ字形ポケット部１３に相対する一側に下方向に突出したＪ字形係合部１６が形成され、該Ｊ字形係合部１６は下表面１７を備え、前記下表面１７と前記内側表面１４は同一水平面に位置し、該Ｃ字形ポケット部１３の底部表面１５と前記Ｊ字形係合部１６の下表面１７の下方にさらにそれぞれ滑り止めパッド２０が設置される。
【００１７】
このほか、前記組立式ボード１０内には押出成型時に直接金属プレート１１が被覆されるため、金属プレート１１が組立式ボード１０に完全に被覆される。図に示すように、該金属プレート１１は組立式ボード１０の内部に被覆され、該金属プレート１１の厚さは制限を受けず、異なるニーズに基づいて金属プレート１１の厚さを変えることができ、金属箔状にすることもできる。これにより、金属プレート１１の被覆によって組立式ボード１０の強度を高め、組立式ボード１０の収縮変形を防止し、組立式ボード１０によりよい構造性を形成することができる。
【００１８】
かつ、前記組立式ボード１０を床板上に敷設するときは、前記Ｃ字形ポケット部１３の内側表面１４下方に設置した滑り止めパッド２０を利用して床板との間の摩擦力を増加し、前記組立式ボード１０が床面上で滑って動くといった状況の発生を回避することができる。
【００１９】
上述の設計により、組立式ボード１０はＣ字形ポケット部１３とＪ字形係合部１６間で気密性、保温性、遮音効果を備えた気密室９０を形成することができる。
【００２０】
図３に示すように、前記組立式ボード１０はさらに底部に少なくとも１つの補強リブ１８を設置することができ、本実施例においては、２つの補強リブ１８を実施の態様としており、それにより組立式ボード１０の強度を高める。
【００２１】
また、図４に示すように、前記組立式ボード１０はさらに平面１２の位置に少なくとも１つの溝部１９を設置することができ、本実施例においては、１つの溝部１９を実施の態様としており、該溝部１９により排水と補強の効果を高める。
【００２２】
図５と図６に示すように、前記組立式ボード１０は使用時に複数の組立式ボード１０を相互に連結させて使用する。複数の組立式ボード１０は組み立て時、主に前方組立式ボード１０１のＪ字形係合部１６を後方組立式ボード１０２のＣ字形ポケット部１３の中に係合させ、該Ｊ字形係合部１６の下表面１７とＣ字形ポケット部１３の内側表面１４を相互に密着させて、該Ｃ字形ポケット部１３と該Ｊ字形係合部１６間に相互の係止効果を形成し、前方組立式ボード１０１と後方組立式ボード１０２間を効果的に組み立てることができる。同時に、迅速に組み立てと分解を達する効果を備えている。
【００２３】
このほか、前方組立式ボード１０１と後方組立式ボード１０２間の離脱を回避するため、実際の運用上は、前記Ｊ字形係合部１６と前記Ｃ字形ポケット部１３間に形成される空隙３０間に、接着剤４０を利用して該空隙３０間を埋め、前記Ｊ字形係合部１６と前記Ｃ字形ポケット部１３をより効果的に係合させることができ、これにより脱落の現象の発生を回避するほか、より気密性、遮音性、絶縁性、防水防湿の効果を高めることができる。
【００２４】
このほか、前記複数の組立式ボード１０を組立面５０に応用するとき、前記Ｃ字形ポケット部１３の底部表面１５上に滑り止めパッド２０が設置されているため、該滑り止めパッド２０と前記組立面５０により比較的大きな摩擦力を形成して騒音を減少することができ、また組立式ボード１０の滑りを防止し、使用上の安全性をより高めることができる。さらに、前記Ｊ字形係合部１６の下方にも滑り止めパッド２０が設置されているため、該Ｊ字形係合部１６を前記Ｃ字形ポケット部１３内部に係合させるとき、前記滑り止めパッド２０と前記Ｃ字形ポケット部１３が摩擦力を発生し、前記Ｊ字形係合部１６が前記Ｃ字形ポケット部１３中で滑って動く現象を回避して組立式ボード１０の使用上の安全性を高めることができる。
【００２５】
組立式ボード１０を組立面５０に固定するときは、接着剤で直接貼付する方式のほか、組立式ボード１０のＣ字形ポケット部１３の内側表面１４から釘やネジ等を組立面５０に穿入させ、かつ釘やネジの頭部上に接着剤を注入してから、Ｊ字形係合部１６を係合させることができる。
【００２６】
このほか、前方組立式ボード１０１と後方組立式ボード１０２の組み立て時、該後方組立式ボード１０２のＪ字形係合部１６の高さがＣ字形ポケット部１３より若干高いため、後方組立式ボード１０２のＪ字形係合部１６の位置に、さらに組立て部材６０を増設することができ、該組立て部材６０の前端にはさらに係合部６１が設けられ、該係合部６１を該後方組立式ボード１０２のＪ字形係合部１６と相互に係合させ、該後方組立式ボード１０２に傾斜の現象が発生するのを回避し、前方組立式ボード１０１と後方組立式ボード１０２の組み立て後の平坦性と安定性を保持することができる。
【００２７】
図７に示すように、前記組立て部材６０の前記係合部６１に相対する一側にさらに挾持溝６２を設けることができ、該挾持溝６２は弾性的挾持力を備え、それにより該係合部６１と前記組立式ボード１０の前記Ｃ字形ポケット部１３間に相互の係止効果を形成し、該組立て部材６０と前記組立式ボード１０を相互に組み立てることができる。同時に、前記挾持溝６２の弾性挾持力で装飾板７０を挾持することができ、該装飾板７０はガラスやドア板等、またはその他装飾に用いる片状体などとし、それにより前記組立式ボード１０に多様な組み合わせの変化をもたせることができる。
【００２８】
図８に示すように、前記組立式ボード１０の平面１２上方には粗面処理を施すか、またはさらに滑り止め８０を増設することができ、該粗面または滑り止め８０等の滑り止め処理により、使用者が組立式ボード１０の上方を踏んだとき、滑り止めの効果を達することができ、使用者の足が滑るのを防止し、組立式ボード１０の使用上の安全性を高めることができる。
【００２９】
また、図９Ａから図９Ｄに示すように、前記組立式ボードの前記Ｃ字形ポケット部１３の開口は上向きに設置するほか、各種異なる方向に設計することができ、異なる角度及び環境のニーズに合わせ、開口を４５度、９０度、１３５度、１８０度などとすることができる。上述の各種異なる方向の設計は、単に本考案が列挙した設計であり、本考案の権利範囲を制限するものではない。
【００３０】
図１０Ａと図１０Ｂに示すように、前記Ｃ字形ポケット部１３の設計は、Ｃ字形のほか、Ｏ字形やまたは三角形とすることができ、前記Ｊ字形係合部１６は相互に対応する形状で係合させることができるようにする。最後に、図１１と図１２に示すように、前記組立式ボード１０上には１つ以上のＣ字形ポケット部１３を設けることができ、図に示すように、それぞれ２つ及び３つのＣ字形ポケット部１３を設置してもよく、各Ｃ字形ポケット部１３は異なる方向に向けて排列され、これにより使用者がより便利に各種異なる環境に使用することができる。
【００３１】
上述をまとめると、本考案の組立式ボード１０は複数のボード間を相互に接合して組み立て、床板や屋根の防水断熱絶縁板、防水絶縁壁、防水パッド、屋根等として利用することができる。組立て部材６０の組み合わせにより、ドアや窓等を形成することもでき、同時に絶縁性、防水性、断熱性、遮音性等の効果を達することができる。
【００３２】
以上で開示した説明と図面は、単に本考案が選択した実施例の構造であり、ここでは説明の用途に用いたのみであって、実用新案登録請求の範囲はこれら構造の制限を受けず、本考案の実際の実施範囲の限定に用いてはならない。以上の説明及び以下の実用新案登録請求の範囲に記載された構造的特徴及び機能に基づいた各種変更は、数値の変更や同等の部材の置換すべてを本考案の範疇に属するものとみなす。
【符号の説明】
【００３３】
１０  組立式ボード
１０１ 前方組立式ボード
１０２ 後方組立式ボード
１１  金属プレート
１２  平面
１３  Ｃ字形ポケット部
１４ 
内側表面
１５ 
底部表面
１６ 
Ｊ字形係合部
１７  下表面
１８  補強リブ
１９  溝部
２０  滑り止めパッド
３０  空隙
４０  接着剤
５０  組立面
６０  組立て部材
６１  係合部
６２  挾持溝
７０  装飾板
８０  滑り止め
９０  気密室
【図１】
0003155016.tif 000003
【図２】
0003155016.tif 000004
【図３】
0003155016.tif 000005
【図４】
0003155016.tif 000006
【図５】
0003155016.tif 000007
【図６】
0003155016.tif 000008
【図７】
0003155016.tif 000009
【図８】
0003155016.tif 000010
【図９Ａ】
0003155016.tif 000011
【図９Ｂ】
0003155016.tif 000012
【図９Ｃ】
0003155016.tif 000013
【図９Ｄ】
0003155016.tif 000014
【図１０Ａ】
0003155016.tif 000015
【図１０Ｂ】
0003155016.tif 000016
【図１１】
0003155016.tif 000017
【図１２】
0003155016.tif 000018
【手続補正書】
【提出日】平成21年8月24日(2009.8.24)
【手続補正１】
【補正対象書類名】実用新案登録請求の範囲
【補正対象項目名】請求項１０
【補正方法】変更
【補正の内容】
【請求項１０】
前記平面の上方にさらに滑り止め処理を施したことを特徴とする請求項１または７に記載の組立式ボード。